(57)【要約】【課題】除湿機のフィルタ８手掛部１２に蓄積するゴミを少なくする。【解決手段】吸込口５とこの吸込口５から吸い込まれた室内空気を吹き出す吹出口６を枠体１に設け、この枠体１上面に一端が回動自在に支持される取手１３を備え、更に前記吸込口５を覆うフィルタ８を備え、このフィルタ８の上端部に手掛部１２を形成し、前記フィルタ８を枠体１に着脱自在に装着すると共に、前記取手１３を倒した状態で前記手掛部１２と取手１３が対向する凹部１６・１７を備え、更に前記手掛部１２と取手１３の間の凹部１６・１７に、この凹部を上下に隔てる仕切板１４を設けたものである。【選択図】      図４
2005009838.tif 000002
【特許請求の範囲】
【請求項１】
吸込口とこの吸込口から吸い込まれた室内空気を吹き出す吹出口を枠体に設け、この枠体上面に一端が回動自在に支持される取手を備え、更に前記吸込口を覆うフィルタを備え、このフィルタの上端部に手掛部を形成し、前記フィルタを枠体に着脱自在に装着すると共に、前記取手を倒した状態で前記手掛部と取手が対向する凹部を備え、更に前記手掛部と取手の間の凹部に、この凹部を上下に隔てる仕切板を設けた事を特徴とする除湿機。
【発明の詳細な説明】
【０００１】
【発明の属する技術分野】
この発明は枠体内に冷凍サイクルとドレンタンクを備え、枠体に吸込口と吹出口を設け、吸込空気を除湿し乾燥空気を吹出す除湿機に関するものである。
【０００２】
【従来の技術】
従来一般家庭で使用される除湿機は、空気中の塵埃を除去するフィルタを枠体の背面に備えた吸込口のフィルタの下端を回動中心として着脱自在に設け、前記フィルタの手掛部と枠体上面に一端が回動自在に支持される取手の一面が対向するように位置させ、前記手掛部と取手との間を連通する凹部を枠体に形成することで、除湿機の外観を向上させるものであった。（例えば、特許文献１参照）
【０００３】
【特許文献１】
特許第３３７００７７号公報
【０００４】
【発明が解決しようとする課題】
ところで、この従来の除湿機のフィルタの手掛部は上面が開放され且つ、フィルタの下端を中心に回動式に取り付けられているので手掛部と枠体の間に隙間ができる事があり、その隙間からも室内の空気が吸い込まれるために取手部にゴミが蓄積しするものであり、外観を損ねると共にフィルタ取外し時に手が汚れる問題があった。
【０００５】
【課題を解決するための手段】
この発明はこの点に着目し上記欠点を解決する為、吸込口とこの吸込口から吸い込まれた室内空気を吹き出す吹出口を枠体に設け、この枠体上面に一端が回動自在に支持される取手を備え、更に前記吸込口を覆うフィルタを備え、このフィルタの上端部に手掛部を形成し、前記フィルタを枠体に着脱自在に装着すると共に、前記取手を倒した状態で前記手掛部と取手が対向する凹部を備え、更に前記手掛部と取手の間の凹部に、この凹部を上下に隔てる仕切板を設けたものである。
【０００６】
これによって、手掛部上面が覆われ、ゴミが蓄積する量も少なくなると共に、例えゴミが蓄積した場合でも仕切板の作用で蓄積したゴミが見えにくくなり外観を損なうことが少なくなるものであり。ゴミが蓄積する量も少なくなることで、フィルタ取外し時に手が汚れる事も少なくなるものである。
【０００７】
【発明の実施の形態】
以下この発明の実施の形態を図面をもとに説明すれば、１は除湿機の枠体で底板２上に前方の前ケース３と後方の後ケース４とを設けて本体の外郭を構成している。
５は前記枠体１背面上部に形成された吸込口で、前記後ケース４に横長のスリットを多数備えた開口が設けられている。
６は前記枠体１上面に設けた吹出口で、開いた時に風向板を兼ねる開閉自在の蓋７によって乾燥空気の吹出方向を前斜め上方向から後ろ斜め上方向まで自由にかえることができるものである。
【０００８】
前記吸込口５の外側には樹脂製の網や不織布から成り吸入空気に混入するホコリを取り除く着脱自在のフィルタ８を備えている。この実施例に於いてはフィルタ８は樹脂製のフィルタ枠９と同じく樹脂製の網１０が一体に形成されているものであり、このフィルタ８の下端に備えた凸部１１を中心に回動することで着脱し、上端には着脱用の手掛部１２が背面よりもやや突出して設けられている。
【０００９】
１３は除湿機を移動するための取手で、枠体１上部の左右側面に備えた回動軸１４を支点として回動自在に設けられ、収納時には枠体１上面に取手１３に沿って設けられた上面凹部１５に収納され、取手１３使用時には垂直に回動して持ち上げ、取っ手として使用するものである。
【００１０】
前記収納時の取手１３と手掛部１２の間には水平方向に段状の仕切板１４を設け、取手用凹部１６が略中央部分に、フィルタ用凹部１７が前記取手用凹部１６の左右側方に設けられ、取手１３がたとえ起立状態で連続して運転された場合でも、手掛部１２に向かって上方より舞い降りるゴミや、吸込口５に引き寄せられ蓄積されるゴミの量を少なくする事ができるものである。
【００１１】
前記吸込口５の内側にはフィンチューブ式の熱交換器からなる蒸発器１８を備え、吸込空気を冷却することにより空気中の水分を結露させ除湿を行う。
前記蒸発器１８の更に下流には蒸発器１８と同じくフィンチューブ式の熱交換器からなる凝縮器１９を備え、蒸発器１８にて冷却された空気の加熱を行う。
前記凝縮器１９下流には送風ファン２０及びこのファン２０を駆動するファンモータ２１を設け、前記吸込口５と吹出口６の間に形成した送風経路２２の送風を行うものである。
【００１２】
前記前ケース３の内側でファンモータ２１との間にはケーシング２３を備え、送風を吹出口６側へ導くものである。
また前記凝縮器１９とファン２０の間には効率的にファン２０へ送風を導くために中央に送風口を備えた仕切板２４を設け、蒸発器１８の下方には結露水を受けるドレン皿２５を設けている。
２６は一方をこのドレン皿２５の底面に接続し、他方をドレンタンク２７の上部に位置させた排水路で、前記ドレン皿２５で集めた結露水を前記ドレンタンク２７へ導くものである。
【００１３】
２８は前記ドレン皿２５下方に設けられ、前記ドレンタンク２７が収納されるタンク収納室で、前面の前ケース３下方に開口部２９を備え前方から水平方向に前記ドレンタンク２７を抜き差しすることでドレンタンク２７の着脱を行うものであり、タンク２７装着時には開口部２９をタンク２７前面が塞ぎ、前記前ケース３とほぼ平坦に形成される。一方タンク２７の中央には透明な樹脂材料から成る水位確認窓３０が設けられ、タンク２７装着時に於いてタンク２７内の水位が明瞭に確認できるものである。
【００１４】
また前記ドレンタンク２７の前面側の下端部中央を内側に凹ませてタンク着脱用の取手部３１を形成し、タンク２７内上部には満水検知用のフロート３２を備えている。
【００１５】
３３は前記送風経路２２の下方で枠体１の下部の機械室３４に設けた圧縮機で、前記凝縮器１９と減圧装置（図示せず）と蒸発器１８を順次冷媒配管で連通し冷凍サイクルを形成している。
３５は前記吹出口６の内側の送風経路２２に設けられたヒーターで、冬期間に室温が低くなり除湿の効率が低下する事を防止するものである。
【００１６】
３６は前記前ケース３の上部に設けた操作部で、運転スイッチ３７やタイマースイッチ３８や自動運転スイッチ３９等の押圧式のボタンスイッチと横長の液晶表示部４０が背面に備えた操作部基板４１に固定されている。
前記液晶表示部４０内は現在の湿度を表示する「２桁の数字」や、自動運転中である事を知らせる「自動」や、前記ドレンタンク２７が満量で水位検知手段（図示せず）が作動した事を知らせる「満水」や、タイマー運転の作動時間や残時間を知らせる「１桁の数字」等の文字を前記制御装置（図示せず）の指令により表示するものである。
【００１７】
４２は前記操作部３６とドレンタンク２７の間に設けられた縦長のカラー表示器で、前記前ケース３の表示穴４３に、透明樹脂により形成されたレンズ４４を突出し、このレンズ４４の上部に備えた赤色ＬＥＤと青色ＬＥＤ等によって表示を行うものであり、湿度が６０％より低い低湿度での運転中は、視覚的に後退作用のある後退色の青色で点灯することで、低湿度の安定運転を視覚的に表現し、且つ湿度が６０％以上の高湿度での運転中は、視覚的に進出作用のある進出色の赤色に点灯することで、除湿機がフルパワーで稼働中である事を表現し、前記ドレンタンク２７の満水時には赤色の点滅をすることで、タンク２７の水捨てを使用者に促すものである。
【００１８】
前記取手１３使用時には仕切板１４の上方で略中央に位置する取手用凹部１６から指をかけて取手１３を約９０度回動し起立させて除湿機の持ち運びに利用するものである。
またフィルタ８の取外しは仕切板１４の下方で取手用凹部１６の左右に位置するフィルタ用凹部１７から手掛部１２へ指をかけ後方へ引くことでフィルタ８が簡単に取り外せるものである。
【００１９】
前記収納時の取手１３と手掛部１２の間の凹部１６・１７は仕切板１４にて隔てられて取手用凹部１６とフィルタ用凹部１７が設けられ、取手１３がたとえ起立状態で連続して運転された場合でも、手掛部１２に向かって上方又は吸込口５に引き寄せられ蓄積されるゴミの量を少なくする事ができ、例えゴミが蓄積した場合でも仕切板の作用で蓄積したゴミが見えにくくなり外観を損なうことが少なくなるものであり。ゴミが蓄積する量も少なくなることで、フィルタ取外し時に手が汚れる事も少なくなるものである。
【００２０】
【発明の効果】
以上のようにこの発明によれば、手掛部に向かって上方又は吸込口に引き寄せられ蓄積されるゴミの量を少なくする事ができ、例えゴミが蓄積した場合でも仕切板の作用で蓄積したゴミが見えにくくなり外観を損なうことが少なくなるものであり。ゴミが蓄積する量も少なくなることで、フィルタ取外し時に手が汚れる事も少なくなるものである。
【図面の簡単な説明】
【図１】この発明一実施例の斜視図。
【図２】同フィルタ着脱時の側面の断面図。
【図３】同背面図。
【図４】同要部の拡大斜視図。
【符号の説明】
５  吸込口
６  吹出口
１２  手掛部
１３  取手
１４  仕切板
【図１】
2005009838.tif 000003
【図２】
2005009838.tif 000004
【図３】
2005009838.tif 000005
【図４】
2005009838.tif 000006